(57)【要約】      （修正有）【課題】樹脂に金属の針金を内装する構造で、リモコンの形状にかかわらず、着脱が容易でＬＥＤが間歇的に発光することで、暗がりでもリモコンのある場所が的確にわかり、ボタンを押すことでリモコンに照明が当たり、容易にリモコン操作ができるリモコン用所在確認機能付き照明装置を提供する。【解決手段】リモコンに照明装置を取り付ける構造を金属の針金のまわりを樹脂で包んだ構造とし、照明のタイミングを間歇的に点灯し、リモコンの場所を知らせしめ、ボタンを押すことでリモコンの操作ボタンと表示面を照射し、暗がりでのリモコンの操作を容易にする。シリコンなどの樹脂で構成する本体ケース１と本体に内蔵される電池を含む制御部２および押しボタンスイッチ３と照明用のＬＥＤ４から構成する。【選択図】図１
0003141064.tif 000002
【実用新案登録請求の範囲】
【請求項１】
リモコンに装着し、リモコンの表示部と操作部を照射する照明装置の点灯を間歇的にするとともに、ボタンを押すことで連続してリモコン表示部と操作部の表面を照射することを特徴とするリモコン用所在確認機能付き照明装置。
【請求項２】
金属の針金の周りを樹脂で包み、自在に曲げられる構造をリモコン用所在確認機能付き照明装置に採用することで、リモコンの形状の制約を受けることなく本体を装着できることを特徴とするリモコン用所在確認機能付き照明装置。
【考案の詳細な説明】
【技術分野】
【０００１】本考案はリモコン用所在確認機能付き照明装置に関する。
【背景技術】
【０００２】リモコンを照明する技術は実用新案第３１１６２０４号「リモコン用照明装置」にあるように公知である。しかし従来の装置は、単にリモコンを照明するのみで、暗闇でリモコンの場所を認識することや、各種の形状が存在するリモコンと装置を取り付けが容易で無いなどの課題があった。
【考案の開示】
【考案が解決しようとする課題】
【０００３】暗がりでもリモコンの所在が確認できること、リモコンの表示や操作面を照射できること、および、各種の形状が存在するリモコンと本装置が容易に装着できることを提供する。
【課題を解決するための手段】
【０００４】リモコンを照明するＬＥＤを間歇的に発光させること。本装置の構造を樹脂の内部に金属の針金を内装する構造とし、リモコンの形状にかかわらず、リモコンと本装置を容易に装着できる構造とすること。および、押しボタンスイッチを押すことでリモコンの表示面や操作面に照明を当てること。
【考案の効果】
【０００５】リモコンに本装置を装着し、装置のＬＥＤを間歇的に発光させることで電池の消費量を削減しつつ、暗がりにあるリモコンの場所を使用者に知らしめ、操作者が本体のボタンを押すことでリモコンに照明が当たり、暗がりで容易にリモコン操作ができる。また、樹脂の内部に金属の針金を内装する構造を本装置に採用することで、リモコンの形状にかかわらず本装置を容易にリモコンに装着できるようにする。
【考案を実施するための最良の形態】
【０００６】リモコンに取り付ける照明装置をリモコンの照明を行うＬＥＤ、照明方法を制御する制御部、照明装置に電力を供給する電池、ＬＥＤの連続点灯を行う押しボタンスイッチ、およびリモコンを装着するための樹脂の内部に金属の針金を内装する構造とする。以下実施例により考案実施の態様を説明する。
【実施例】
【０００７】一実施例について図面を参照して説明する。
図１は本実用新案の本体正面図を示しており、シリコンなどの樹脂で構成する本体ケース１と本体に内蔵される電池を含む制御部２および押しボタンスイッチ３と照明用のＬＥＤ４から構成する。図２は本体を側面から見たもので、樹脂でできた本体ケースの内部にステンレスなどの針金５を内装し、本体が自在におり曲がる構造としている。また、本体内部にＬＥＤ４を制御する電子回路６と電池７が実装される。図３は本体１をリモコン８に装着したときの取付けた状態を示した図で、リモコン８に本体１を自在に曲げることで本体に容易に装着でき、ＬＥＤ４の光がリモコン８の表面を照射している様子を示している。図４はリモコン８に本体１を装着した裏面を示した図である。図５はＬＥＤ４の点灯パターンを示したもので、本体１の電源を投入すると周期Ｔをもって短い時間τの期間間歇的に点灯を継続する。この短い点灯により夜間の暗闇にあってもリモコン８の位置を認識できるものである。次に押しボタンスイッチ３を押すことにより、ＬＥＤ４は押しボタンスイッチ３が押されている期間連続点灯し、リモコン８の表面を照明する。次に押しボタンスイッチ３が押されなくなると、ＬＥＤ４は徐々に消灯し、元の間歇点灯に戻る。
【産業上の利用可能性】
【０００９】本装置は、リモコンを照射することだけでなく、夜間屋外でランニングやウォーキング時に腕に装着することで、ランナーの存在を他者に知らしせしめ事故を防止することを目的に活用することができる。
【図面の簡単な説明】
【図１】本実施例に係るリモコン用所在確認機能付き照明装置の正面図である。
【図２】本実施例に係るリモコン用所在確認機能付き照明装置の側面図である。
【図３】本実施例に係るリモコン用所在確認機能付き照明装置をリモコンに装着したときの取付け正面である。
【図４】本実施例に係るリモコン用所在確認機能付き照明装置をリモコンに装着したときの取付け裏面図である。
【図５】本実施例に係るＬＥＤ照明と操作用の押しボタンスイッチの操作の関連を示したタイムチャートを示した図である。
【符号の説明】
【００１０】１  リモコン用所在確認機能付き照明装置本体
２  制御部
３  押しボタンスイッチ
４  ＬＥＤ
５  本体に内装するステンレスなどの針金
６  制御回路
７  電池
８  リモコン
【図１】
0003141064.tif 000003
【図２】
0003141064.tif 000004
【図３】
0003141064.tif 000005
【図４】
0003141064.tif 000006
【図５】
0003141064.tif 000007
【手続補正書】
【提出日】平成20年1月11日(2008.1.11)
【手続補正１】
【補正対象書類名】実用新案登録請求の範囲
【補正対象項目名】全文
【補正方法】変更
【補正の内容】
【実用新案登録請求の範囲】
【請求項１】
リモコンに装着し、リモコンの表示部と操作部を照射する照明装置の点灯を間歇的にするとともに、ボタンを押すことで連続してリモコン表示部と操作部の表面を照射することを特徴とするリモコン用所在確認機能付き照明装置。
【請求項２】
金属の針金の周りを樹脂で包み、自在に曲げられる構造をリモコン用所在確認機能付き照明装置に採用することで、リモコンの形状の制約を受けることなく本体を装着できることを特徴とする請求項１記載のリモコン用所在確認機能付き照明装置。
【手続補正２】
【補正対象書類名】明細書
【補正対象項目名】全文
【補正方法】変更
【補正の内容】
【考案の詳細な説明】
【技術分野】
【０００１】本考案はリモコン用所在確認機能付き照明装置に関する。
【背景技術】
【０００２】リモコンを照明する技術は実用新案第３１１６２０４号「リモコン用照明装置」にあるように公知である。しかし従来の装置は、単にリモコンを照明するのみで、暗闇でリモコンの場所を認識することや、各種の形状が存在するリモコンと装置を取り付けが容易で無いなどの課題があった。
【考案の開示】
【考案が解決しようとする課題】
【０００３】暗がりでもリモコンの所在が確認できること、リモコンの表示や操作面を照射できること、および、各種の形状が存在するリモコンと本装置が容易に装着できることを提供する。
【課題を解決するための手段】
【０００４】リモコンを照明するＬＥＤを間歇的に発光させること。本装置の構造を樹脂の内部に金属の針金を内装する構造とし、リモコンの形状にかかわらず、リモコンと本装置を容易に装着できる構造とすること。および、押しボタンスイッチを押すことでリモコンの表示面や操作面に照明を当てること。
【考案の効果】
【０００５】リモコンに本装置を装着し、装置のＬＥＤを間歇的に発光させることで電池の消費量を削減しつつ、暗がりにあるリモコンの場所を使用者に知らしめ、操作者が本体のボタンを押すことでリモコンに照明が当たり、暗がりで容易にリモコン操作ができる。また、樹脂の内部に金属の針金を内装する構造を本装置に採用することで、リモコンの形状にかかわらず本装置を容易にリモコンに装着できるようにする。
【考案を実施するための最良の形態】
【０００６】リモコンに取り付ける照明装置をリモコンの照明を行うＬＥＤ、照明方法を制御する制御部、照明装置に電力を供給する電池、ＬＥＤの連続点灯を行う押しボタンスイッチ、およびリモコンを装着するための樹脂の内部に金属の針金を内装する構造とする。以下実施例により考案実施の態様を説明する。
【実施例】
【０００７】一実施例について図面を参照して説明する。
図１は本実用新案の本体正面図を示しており、シリコンなどの樹脂で構成する本体ケース１と本体に内蔵される電池を含む制御部２および押しボタンスイッチ３と照明用のＬＥＤ４から構成する。図２は本体を側面から見たもので、樹脂でできた本体ケースの内部にステンレスなどの針金５を内装し、本体が自在に折り曲がる構造としている。また、本体内部にＬＥＤ４を制御する電子回路６と電池７が実装される。図３は本体１をリモコン８に装着したときの取付けた状態を示した図で、リモコン８に本体１を自在に曲げることで本体に容易に装着でき、ＬＥＤ４の光がリモコン８の表面を照射している様子を示している。図４はリモコン８に本体１を装着した裏面を示した図である。図５はＬＥＤ４の点灯パターンを示したもので、本体１の電源を投入すると周期Ｔをもって短い時間τの期間間歇的に点灯を継続する。この短い点灯により夜間の暗闇にあってもリモコン８の位置を認識できるものである。次に押しボタンスイッチ３を押すことにより、ＬＥＤ４は押しボタンスイッチ３が押されている期間連続点灯し、リモコン８の表面を照明する。次に押しボタンスイッチ３が押されなくなると、ＬＥＤ４は元の間歇点灯に戻る。図６は上記ＬＥＤ４の点灯パターンを制御する制御部の回路構成を示す。電池７を挿入するとＩＣ１に電流が供給されて動作を開始する。ＩＣ１は汎用のタイマＩＣで、例えばナショナルセミコンダクタ社製ＬＭＣ５５５などが相当する。点灯周期Ｔと点灯時間τを決定するのは、ＩＣ１に接続しているＲ１、Ｒ２、Ｃ１であり、Ｒ１，Ｒ２，Ｃ１の充電と放電時定数によって常数が決定される。Ｒ１，Ｒ２，Ｃ１によって決定された、周期Ｔ、点灯時間τに相当する信号がＩＣ１のＶｏｕｔから出力され、ここに接続されているＬＥＤ４を間歇的に点灯させる。Ｒ３はＬＥＤ４に所定電流を流すための電流制限用抵抗である。次に、本体に装着している押しボタンスイッチ３を押すと、ＩＣ１のリセット信号入力が”Ｌ“状態となり、Ｖｏｕｔ信号が強制的に”Ｌ“となる。この結果、ＬＥＤ４は常時点灯状態となる。押しボタンスイッチ３を開放すると、ＩＣ１は従来のタイマ機能に戻り、周期Ｔ、点灯時間τの状態でＬＥＤ４の点滅を繰り返す。Ｒ４はＩＣ１のＲｅｓｅｔ入力を常時”Ｈ“状態に保つための抵抗である。
【産業上の利用可能性】
【０００８】本装置は、リモコンを照射することだけでなく、夜間屋外でランニングやウォーキング時に腕に装着することで、ランナーの存在を他者に知らしせしめ事故を防止することを目的に活用することができる。
【図面の簡単な説明】
【０００９】
【図１】本実施例に係るリモコン用所在確認機能付き照明装置の正面図である。
【図２】本実施例に係るリモコン用所在確認機能付き照明装置の側面図である。
【図３】本実施例に係るリモコン用所在確認機能付き照明装置をリモコンに装着したときの取付け正面である。
【図４】本実施例に係るリモコン用所在確認機能付き照明装置をリモコンに装着したときの取付け裏面図である。
【図５】本実施例に係るＬＥＤ照明と操作用の押しボタンスイッチの操作の関連を示したタイムチャートを示した図である。
【図６】本実施例に係るＬＥＤの点灯パターンを実現する制御部の制御回路を示した図である。
【符号の説明】
【００１０】１  リモコン用所在確認機能付き照明装置本体
２  制御部
３  押しボタンスイッチ
４  ＬＥＤ
５  本体に内装するステンレスなどの針金
６  制御回路
７  電池
８  リモコン
【手続補正３】
【補正対象書類名】図面
【補正対象項目名】全図
【補正方法】変更
【補正の内容】
【図１】
0003141064.tif 000008
【図２】
0003141064.tif 000009
【図３】
0003141064.tif 000010
【図４】
0003141064.tif 000011
【図５】
0003141064.tif 000012
【図６】
0003141064.tif 000013